(57)【要約】　　　（修正有）【課題】集積光学ユニット上の半導体レーザダイオードとフレキシブル基板上の駆動回路を短絡配線して安定動作を得る光ピックアップ装置を提供する。【解決手段】半導体レーザダイオード１１ｂが搭載される集積光学ユニット２１と、半導体レーザダイオードを駆動させる駆動回路１５と、集積光学ユニットと駆動回路とを接続する第１配線路Ａとこれより短い第２配線路Ｂとを有する光ピックアップ装置であり、駆動回路１５からの信号がフレキシブル基板Ｆ上の配線路Ａを迂回することなく、直接、駆動回路１５へと供給されるため、安定した記録処理等が可能となる。【選択図】　　図５
2004039034.tif 000002
【特許請求の範囲】
【請求項１】
半導体レーザダイオードが搭載され、光ピックアップ装置のフレームに組み込まれて形成される集積光学ユニットと、
前記半導体レーザダイオードを駆動させる駆動回路と、
前記集積光学ユニットと前記駆動回路とが接続され、第１の配線路とこの第１の配線路より短い第２の配線路とを有し、前記第１の配線路は前記駆動回路から前記半導体レーザダイオードに第１の信号が伝送され、前記第２の配線路は前記第１の信号とは異なる第２の信号が伝送されるフレキシブル基板と、
を具備することを特徴とする光ピックアップ装置。
【請求項２】
前記フレキシブル基板は、前記集積光学ユニットに接続され前記半導体レーザダイオードからの信号を介するコネクタを有しており、前記第２の配線路は前記コネクタと前記フレキシブル基板上の前記駆動回路との間に形成される第１の配線路とは異なるものであることを特徴とする請求項１記載の光ピックアップ装置。
【請求項３】
前記第２の配線路は、前記フレキシブル基板と一体形成された基板の延長として形成されることを特徴とする請求項１記載の光ピックアップ装置。
【請求項４】
前記第２の配線路は、前記半導体レーザダイオードのアノードとカソードとを前記駆動回路に接続することを特徴とする請求項１記載の光ピックアップ装置。
【請求項５】
前記レンズアクチュエータ上の前記レンズへ第２レーザを照射する第２半導体レーザダイオードが搭載され、前記光ピックアップ装置のフレームに組み込まれて形成される第２集積光学ユニットを更に有し、
前記フレキシブル基板は、前記第２半導体レーザダイオードの駆動回路と前記第２集積光学ユニットに接続され前記第２半導体レーザダイオードからの信号を介する第２コネクタとを有し、更に、前記第２コネクタからの信号を受けて、前記フレキシブル基板上の前記第２コネクタと前記駆動回路との第３の配線路より短い第４の配線路とを更に有することを特徴とする請求項１記載の光ピックアップ装置。
【請求項６】
前記第１集積光学ユニットの前記第１半導体レーザダイオードは、ＤＶＤに対して記録又は再生するための第１レーザを照射し、
前記第２集積光学ユニットの前記第２半導体レーザダイオードは、ＣＤに対して記録又は再生するための前記第１レーザとは波長の異なる第２レーザを照射することを特徴とする請求項５記載の光ピックアップ装置。
【請求項７】
半導体レーザダイオードが搭載され、光ピックアップ装置のフレームに組み込まれて形成される集積光学ユニットと、
この集積光学ユニットに搭載される前記半導体レーザダイオードから照射されるレーザ光に対し、光ディスクを回転させる回転モータと、
前記半導体レーザダイオードを駆動させる駆動回路と、
前記集積光学ユニットと前記駆動回路とが接続され、第１の配線路とこの第１の配線路より短い第２の配線路とを有し、前記第１の配線路は前記駆動回路から前記半導体レーザダイオードに第１の信号が伝送され、前記第２の配線路は前記第１の信号とは異なる第２の信号が伝送されるフレキシブル基板と、
を具備することを特徴とする光ディスク装置。
【請求項８】
前記フレキシブル基板は、前記集積光学ユニットに接続され前記半導体レーザダイオードからの信号を介するコネクタを有しており、
前記第２の配線路は、前記コネクタと前記フレキシブル基板上の前記駆動回路との間に形成される第１の配線路とは異なるものであることを特徴とする請求項７記載の光ディスク装置。
【請求項９】
前記第２の配線路は、前記フレキシブル基板と一体形成された基板の延長として形成されることを特徴とする請求項７記載の光ディスク装置。
【請求項１０】
前記第２の配線路は、前記半導体レーザダイオードのアノードとカソードとを前記駆動回路に接続することを特徴とする請求項７記載の光ディスク装置。
【請求項１１】
前記レンズアクチュエータ上の前記レンズへ第２レーザを照射する第２半導体レーザダイオードが搭載され、前記光ピックアップ装置のフレームに組み込まれて形成される第２集積光学ユニットと、
前記第２半導体レーザダイオードを駆動させる前記駆動回路と、
前記フレキシブル基板は、前記第２集積光学ユニットと前記駆動回路とを接続し、前記駆動回路へ直接配線するための第２の配線路とを更に有することを特徴とする請求項７記載の光ディスク装置。
【請求項１２】
前記第１集積光学ユニットの前記第１半導体レーザダイオードは、ＤＶＤに対して記録又は再生するための第１レーザを照射し、
前記第２集積光学ユニットの前記第２半導体レーザダイオードは、ＣＤに対して記録又は再生するための前記第１レーザとは波長の異なる第２レーザを照射することを特徴とする請求項１１記載の光ディスク装置。
【請求項１３】
半導体レーザダイオードが搭載され、光ピックアップ装置のフレームに組み込まれて形成される集積光学ユニットと、この集積光学ユニットと接続され、前記フレームに装着されたフレキシブル基板と、前記フレキシブル基板と接続され、前記半導体レーザダイオードを駆動させる駆動回路とを備え、
前記フレキシブル基板の配線路を介して前記駆動回路から前記半導体レーザダイオードに第１の信号が伝送されるとともに、前記配線路より短い短絡配線路により、前記駆動回路から前記半導体レーザダイオードに前記第１の信号とは別の第２の信号を伝送する光ピックアップ装置。
【請求項１４】
半導体レーザダイオードが搭載され、光ピックアップ装置のフレームに組み込まれて形成される集積光学ユニットと、この集積光学ユニットに搭載される前記半導体レーザダイオードから照射されるレーザ光に対し、光ディスクを回転させる回転モータと、この集積光学ユニットと接続され、前記フレームに装着されたフレキシブル基板と、前記フレキシブル基板と接続され、前記半導体レーザダイオードを駆動させる駆動回路とを備え、
前記フレキシブル基板の配線路を介して前記駆動回路から前記半導体レーザダイオードに第１の信号が伝送されるとともに、前記配線路より短い短絡配線路により、前記駆動回路から前記半導体レーザダイオードに前記第１の信号とは別の第２の信号を伝送する光ディスク装置。
【発明の詳細な説明】
【０００１】
【発明の属する技術分野】
この発明は、光ディスクに対して記録・再生処理を行う光ピックアップ装置及びこれを用いる光ディスク装置に関し、特に短絡配線部を有するフレキシブル基板をもった光ピックアップ装置及びこれを用いる光ディスク装置に関する。
【０００２】
【従来の技術】
最近、光ディスクの普及により記録・再生処理を行う光ディスク装置に対しても高い性能が要望されている。従来の光ディスク装置においては、光ピックアップが有する集積光学ユニットＩＯＵ（Ｉｎｔｅｇｒａｔｅｄ　Ｏｐｔｉｃａｌ　Ｕｎｉｔ）に搭載された半導体レーザダイオードは、フレキシブル基板上に形成される半導体レーザダイオードの駆動回路から、ＤＶＤ（Ｄｉｇｉｔａｌ　Ｖｅｒｓａｔｉｌｅ　Ｄｉｓｃ）の再生時に信号特性を改善するべく、３５０ＭＨｚくらいの高周波が重畳されている。
【０００３】
しかしながら、この高周波重畳が原因で、半導体レーザダイオードが搭載された集積光学ユニットとフレキシブル基板上の駆動回路との距離が長い場合、線路インダクタンスの影響を受け、フレキシブル基板上を迂回する配線路による駆動信号の減衰や発熱等が生じてしまう。これは、特に、ＲＯＭ（Ｒｅａｄ　Ｏｎｌｙ　Ｍｅｍｏｒｙ）の読み出しに比べ１０倍近くのエネルギのレーザ駆動電流を要する書き込み処理の場合に大きな問題となり、書き込み特性の劣化の原因ともなるという問題がある。
【０００４】
【発明が解決しようとする課題】
すなわち、従来の光ピックアップ装置のフレキシブル基板では、ＤＶＤ，ＣＤ再生時に半導体レーザダイオードへ高周波を重畳する場合、半導体レーザダイオードとフレキシブル基板上の駆動回路との配線路が長い場合、線路インダクタンスの影響を受けることで、駆動信号の減衰や発熱等が生じてしまう。又、不要な電磁波を発生することにもなり、光ディスクへの書き込み特性の劣化の原因ともなるという問題がある。
【０００５】
本発明は、半導体レーザダイオードを有する集積光学ユニットとフレキシブル基板上の半導体レーザダイオードの駆動回路とを直接配線する短絡配線部を有するフレキシブル基板を設けることにより、不要輻射のない安定した記録処理を可能とする光ピックアップ装置と光ディスク装置とを提供することを目的とする。
【０００６】
【課題を解決するための手段】
本発明は上記課題を解決するべく、半導体レーザダイオードが搭載され、光ピックアップ装置のフレームに組み込まれて形成される集積光学ユニットと、前記半導体レーザダイオードを駆動させる駆動回路と、前記集積光学ユニットと前記駆動回路とが接続され、第１の配線路とこの第１の配線路より短い第２の配線路とを有し、前記第１の配線路は前記駆動回路から前記半導体レーザダイオードに第１の信号が伝送され、前記第２の配線路は前記第１の信号とは異なる第２の信号が伝送されるフレキシブル基板とを具備することを特徴とする光ピックアップ装置である。
【０００７】
本発明は上記構造により、従来のように、迂回するフレキシブル基板の配線路を用いて、集積光学ユニット上の半導体レーザダイオードと、フレキシブル基板上の駆動回路とを接続するのではなく、フレキシブル基板が有する集積光学ユニットへのコネクタを介して半導体レーザダイオードへの配線を受け、この配線を直接、フレキシブル基板上の駆動回路へ接続する専用の短絡配線部をフレキシブル基板上の延長として設けるものである。フレキシブル基板は、光ピックアップユニットのフレームに巻きつけるように装着されるため、このフレキシブル基板上の配線が、必ずしも半導体レーザダイオードと駆動回路との最短距離とはなってはおらず、バイパスとなる短絡配線をフレキシブル基板に設ける余地が生じる。このようにフレキシブル基板の延長した構造として短絡配線部をフレキシブル基板の一部として設け、半導体レーザダイオードのアノード、カソードを直に結ぶことで、不要な発熱や輻射のない安定した記録処理を可能とする光ピックアップ装置を提供することができる。
【０００８】
【発明の実施の形態】
以下、図面を参照してこの発明の実施形態である光ピックアップ装置及びこれを用いた光ディスク装置を詳細に説明する。図１は、本発明の一実施の形態に係る光ピックアップ装置に用いられるフレキシブル基板の一例を示す図、図２は、フレキシブル基板が装着された光ピックアップ装置の一例を示す図、図３は、フレキシブル基板が装着された光ピックアップ装置の一例を示す拡大図、図４は、光ピックアップ装置とフレキシブル基板の一例を裏側から示す図、図５は、短絡配線部とフレキシブル基板上の配線路とを比較するための図、図６は、光ピックアップ装置が用いられる光ディスク装置の一例を示す図である。
【０００９】
＜光ピックアップ装置及び光ディスク装置＞
これらの図において、光ピックアップ装置は、図１に示すフレキシブル基板Ｆが装着された、図２に示す光ピックアップユニットＰＵによりなっている。フレキシブル基板Ｆは、レーザを照射する半導体レーザダイオードを駆動するための駆動回路を有する集積回路ＩＣ（Ｉｎｔｅｇｒａｔｅｄ　Ｃｉｒｃｕｉｔ）１５を基板上に有しており、更に、半導体レーザダイオードが搭載された、例えばＤＶＤ用の集積光学ユニット２１と、レンズＬを搭載しフォーカス方向やトラッキング方向にレーザの照射方向を制御するアクチュエータ２２とを有している。更に、図４に示すように、例えばＣＤ用の集積光学ユニット２３を有しており、それぞれに搭載された半導体レーザダイオード１１，１１ｂは、集積回路ＩＣ（Ｉｎｔｅｇｒａｔｅｄ　Ｃｉｒｃｕｉｔ）１５内の駆動回路により、駆動されるものである。この集積光学ユニット２１、２３は、内部にレーザを発光する半導体レーザダイオード１１，１１ｂを備えている他に、コンデンサや抵抗の電子部品を有しており、ホログラム回析の機能を備えるものである。
【００１０】
集積光学ユニット２１、２３内の各半導体レーザダイオードから照射されたレーザ光は、光路を経由してアクチュエータ上に設けられたレンズＬにより集光され、図示しない光ディスク上に照射されて、記録処理及び再生処理が行われる。
【００１１】
更に、図６は、この光ピックアップ装置が搭載された光ディスク装置Ｂの一例を示す概観図であり、ドロワー３１上に設けられるシャーシ３２内に形成されるピックアップユニットＰＵと、光ディスクを所定回転数で回転させるスピンドルモータＭとを有している。更に、このスピンドルモータＭを駆動する図示しないスピンドル駆動回路や、ピックアップユニットＰＵ内の集積光学ユニット２１，２３からの図示しない複数フォトデテクタからの複数の検出信号を受け、フォーカスエラー信号やトラッキングエラー信号を生成して、アクチュエータ２４のフォーカス制御やトラッキング制御を行うフォーカス制御回路やトラッキング制御回路を有している。更に全体の動作を司る制御回路や、外部と検出信号や記録・再生信号を通信するインタフェース部等を有している。
【００１２】
＜半導体レーザダイオードと駆動回路との短絡配線＞
以下に本発明の特徴である半導体レーザダイオードと駆動回路との短絡配線について図面を用いて詳細に説明する。光ピックアップ装置は、光ピックアップユニットＰＵにフレキシブル基板Ｆが装着されたものであり、フレキシブル基板Ｆは、各種電子部品が基板上に組み込まれ、光ピックアップユニットＰＵ上に設けられた各ユニットに配線されることとなる。ここで注目すべきは、このフレキシブル基板Ｆは、光ピックアップユニットＰＵの形状に応じて折り畳まれ巻きつけられるように装着されるため、光ピックアップユニットＰＵ内の各部とフレキシブル基板Ｆ上の電子部品とが必ずしも最短距離で接続されているとは限らないことである。
【００１３】
例えば、図２及び図３に示すようにフレキシブル基板Ｆ上の半導体レーザダイオードの駆動回路１５と、集積光学ユニット２１の半導体レーザダイオード１１は、コネクタ１３を介しフレキシブル基板Ｆ上の配線路Ａを経由して接続されることになる。このため、長大な配線路が形成されることとなり、線路インダクタンスの影響を受け、駆動信号の減衰や発熱等が生じてしまい、特に、読み出しに比べ１０倍近くのエネルギのレーザ駆動電流を要する書き込み処理の場合には、書き込み特性の劣化の原因ともなっている。
【００１４】
本発明に係るフレキシブル基板Ｆの延長として設けられる短絡配線部１４は、図１に示される形状を有しており、図３に示すようにフレキシブル基板Ｆのコネクタ１２、１３がＤＶＤ用の集積光学ユニット２１に接続されると、コネクタ１３からの配線を引いて同一成形により形成された短絡配線部１４である。そして、短絡配線部１４は、図２に示すようにフレキシブル基板Ｆの駆動回路をもつ集積回路１５の近傍に引き回され、その端部は、図３に示すように折り曲げられてフレキシブル基板Ｆに半田付けされて最短距離で集積回路１５に接続される。このように短絡配線部１４を構造の隙間に這わせるように引き回すことで、配線に機械的な安定をもたらすことができる。
【００１５】
ここでは一例として、半導体レーザダイオード１１の（請求項中の第２の信号として）アノードとカソードが、コネクタ１３を経由して（請求項中の第２の配線路として）短絡配線部１４により駆動回路１５に接続される。
【００１６】
一方、フレキシブル基板Ｆ上では、この短絡配線部１４の配線路とは別に、駆動回路１５と集積光学ユニット２１の半導体レーザダイオード１１との（請求項中の第１の配線路として）配線路が存在し、主に（請求項中の第１の信号として）半導体レーザダイオード１１の電源がコネクタ１３を経由して駆動回路１５から半導体レーザダイオード１１に供給されている。
【００１７】
図５は、フレキシブル基板Ｆ上に形成されている配線路を利用して半導体レーザダイオードと駆動回路とを配線した場合の配線路Ａと、本発明に係る短絡配線部１４を利用した場合の配線路Ｂとを示している。この図によれば、本発明に係る短絡配線部１４により、フレキシブル基板Ｆ上の配線路Ａのほぼ１０％の距離で両者を接続することができる。これにより、不要輻射や不要発熱、外乱による動作不安定等の不具合を回避することができ、安定したレーザの照射による光ディスクに対する記録・再生処理を可能とするものである。
【００１８】
一方、ＣＤ用の集積光学ユニット２３の半導体レーザダイオードと駆動回路１５との間にも、ＤＶＤの場合と同様の原理で、（請求項中の第４の配線路として）短絡配線部１６が設けられている。ここでは一例として、半導体レーザダイオード１１ｂのアノードとカソードが、コネクタ２５を経由して駆動回路１５から短絡配線部１６へ供給される。
【００１９】
更に、フレキシブル基板Ｆ上では、この短絡配線部１６の配線路とは別に、駆動回路１５と集積光学ユニット２３の半導体レーザダイオード１１ｂとの（請求項中の第３の配線路として）配線路が存在し、主に半導体レーザダイオード１１ｂの電源がコネクタ２５を経由して駆動回路１５から半導体レーザダイオード１１ｂに供給されている。
【００２０】
図５は、フレキシブル基板Ｆ上に形成されている配線路を利用して集積光学ユニット２３の半導体レーザダイオード１１ｂと駆動回路１５とを配線した場合の配線路Ｃと、本発明に係る短絡配線部１６を利用した場合の配線路Ｄとを示している。この図によれば、本発明に係る短絡配線部１６により、フレキシブル基板Ｆ上の配線路Ａのほぼ８０％の距離で両者を接続することができる。これにより、ＤＶＤの場合と同様に、不要輻射や不要発熱、外乱による動作不安定等の不具合を解消することができ、安定したレーザの照射による光ディスクに対する記録・再生処理を可能とするものである。
【００２１】
又、本発明に係る短絡配線部は、上述したフレキシブル基板Ｆの一部として設けられる場合以外にも、フレキシブル基板Ｆから独立した配線や第２のフレキシブル基板による配線として設けることも好適である。この場合も、上述した作用効果と同等の原理で安定したレーザの照射による光ディスクに対する記録・再生処理を可能とするものである。
【００２２】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００２３】
【発明の効果】
以上詳述したように本発明によれば、半導体レーザダイオードを有する集積光学ユニットとフレキシブル基板上の半導体レーザダイオードの駆動回路とを直接配線する専用の短絡配線部を有するフレキシブル基板を設けることにより、不要輻射や発熱のない安定した記録処理を可能とする光ピックアップ装置とこれを用いた光ディスク装置とを提供することを目的とする。
【図面の簡単な説明】
【図１】本発明の一実施の形態に係る光ピックアップ装置に用いられるフレキシブル基板の一例を示す図。
【図２】本発明の一実施の形態に係るフレキシブル基板が装着された光ピックアップ装置の一例を示す図。
【図３】本発明の一実施の形態に係るフレキシブル基板が装着された光ピックアップ装置の一例を示す拡大図。
【図４】本発明の一実施の形態に係る光ピックアップ装置とフレキシブル基板の一例を裏側から示す図。
【図５】本発明の一実施の形態に係る短絡配線部とフレキシブル基板上の配線路とを比較するための図。
【図６】本発明の一実施の形態に係る光ピックアップ装置が用いられる光ディスク装置の一例を示す図。
【符号の説明】
Ｆ…フレキシブル基板、ＰＵ…ピックアップユニット、１１…レーザダイオード、１２…コネクタ、１３…コネクタ、１４…短絡配線部、１５…駆動回路を有する集積回路、２１…ＤＶＤ用の集積光学ユニット、２３…ＣＤ用の集積光学ユニット、２４…アクチュエータ、２５…コネクタ、Ａ…フレキシブル基板上の配線路、Ｂ…短絡配線部の配線路、Ｃ…フレキシブル基板上の配線路、Ｄ…短絡基板上の配線路、Ｌ…レンズ、３１…ドロア、３２…シャーシ、Ｍ…スピンドルモータ。
【図１】
2004039034.tif 000003
【図２】
2004039034.tif 000004
【図３】
2004039034.tif 000005
【図４】
2004039034.tif 000006
【図５】
2004039034.tif 000007
【図６】
2004039034.tif 000008